(57)【要約】【課題】  高感度フイルムを用いることの利点を活かしたレンズ付きフイルムユニットを提供する。【解決手段】ユニット本体にはフイルム感度ＩＳＯ３２００のものが装填されており、操作部材１５の操作で通常撮影モード，室内撮影モード，夜景撮影モードを選択することができる。通常撮影モードでは、ストロボ非発光で小絞り及び高速シャッタでの撮影となり、室内撮影モードでは、ストロボ発光で中絞り及び高速シャッタでの撮影となる。夜景撮影モードではストロボ発光で大絞り及び低速シャッタでの撮影となる。【選択図】        図５
2006071943.tif 000002
【特許請求の範囲】
【請求項１】
フイルム感度がＩＳＯ１６００以上の写真フイルムが装填されたレンズ付きフイルムユニットにおいて、
第１ないし第３撮影モードを選択するための撮影モード選択部材と、選択された撮影モードに応じて適正ＥＶ値が切り換えられる露出切替装置を備え、第１ないし第３撮影モードのＩＳＯ１００を基準とした適正ＥＶ値をＥＶ1，ＥＶ2，ＥＶ3としたときに、「９≦ＥＶ1≦１２，６．５≦ＥＶ2＜９，４≦ＥＶ3＜６．５」の条件を満たすことを特徴とするレンズ付きフイルムユニット。
【請求項２】
前記写真フイルムは、フイルム感度がＩＳＯ３２００以上であることを特徴とする請求項１記載のレンズ付きフイルムユニット。
【請求項３】
前記露出切替装置は、前記撮影モード選択部材によって選択される選択モードに応じて、絞りを切り換える絞り切替機構及びシャッタ速度を切り換えるシャッタ速度切替機構とからなることを特徴とする請求項１または２記載のレンズ付きフイルムユニット。
【請求項４】
前記絞り切替機構は、絞りを小絞りと大絞りとに切り替え、前記第１撮影モードでは小絞り、前記第２撮影モード及び第３撮影モードでは大絞りとし、前記シャッタ速度切替機構は、シャッタ速度を高速と低速とに切り換え、前記第１撮影モード及び第２撮影モードでは高速，前記第３撮影モードでは低速とすることを特徴とする請求項３記載のレンズ付きフイルムユニット。
【請求項５】
前記絞り切替機構は、絞りを小絞りと中絞りと大絞りとに切り替え、前記第１撮影モードでは小絞り、前記第２撮影モードでは中絞り，第３撮影モードでは大絞りとし、前記シャッタ速度切替機構は、シャッタ速度を高速と低速とに切り換え、前記第１撮影モード及び第２撮影モードでは高速，前記第３撮影モードでは低速とすることを特徴とする請求項３記載のレンズ付きフイルムユニット。
【請求項６】
前記シャッタ速度切替機構は、低速のシャッタ速度をＴ1秒、高速のシャッタ速度をＴ2秒としたときに、「１／３０秒≧Ｔ1≧１／６０秒、１／１００秒≧Ｔ2」を満たすことを特徴とする請求項４または５記載のレンズ付きフイルムユニット。
【請求項７】
前記絞り切替機構は、第１撮影モードの絞り値をＡ1，第３撮影モードの絞り値をＡ3としたときに、「Ｆ１３≦Ａ1，Ｆ２．８≦Ａ3≦Ｆ８」を満たすことを特徴とするレンズ付きフイルムユニット。
【請求項８】
前記第１撮影モード下ではストロボ発光を行わず、前記第２撮影モード及び第３撮影モード下での撮影に同期してストロボ発光を行うストロボ装置を備えてたことを特徴とする請求項１ないし７のいずれか１項に記載のレンズ付きフイルムユニット。
【請求項９】
前記第１撮影モード及び第２撮影モード下ではストロボ発光を行わず、前記第３撮影モード下での撮影に同期してストロボ発光を行うストロボ装置を備えたことを特徴とする請求項１ないし７のいずれか１項に記載のレンズ付きフイルムユニット。
【請求項１０】
前記第１撮影モード及び第３撮影モード下ではストロボ発光を行わず、前記第２撮影モード下での撮影に同期してストロボ発光を行うストロボ装置を備えたことを特徴とする請求項１ないし７のいずれか１項に記載のレンズ付きフイルムユニット。
【請求項１１】
前記ストロボ装置は、ガイドナンバーが４（ISO100・m）以下であることを特徴とする請求項８ないし１０のいずれか１項に記載のレンズ付きフイルムユニット。
【請求項１２】
前記ストロボ装置は、電源の電池の外形サイズが単４型電池の外形サイズ以下であることを特徴とする請求項１１記載のレンズ付きフイルムユニット。
【請求項１３】
前記ストロボ装置は、電源の電池が単５型であることを特徴とする請求項１１記載のレンズ付きフイルムユニット。
【請求項１４】
前記ストロボ装置は、ストロボ発光に先立って充電され、その充電で蓄積した電荷をストロボ放電管で放電することによってストロボ発光させるメインコンデンサを有し、このメインコンデンサの静電容量が４０μＦ以下であることを特徴とする請求項１１ないし１３のいずれか１項に記載のレンズ付きフイルムユニット。
【発明の詳細な説明】
【技術分野】
【０００１】
本発明は、レンズ付きフイルムユニットに関するものである。
【背景技術】
【０００２】
写真フイルムが予め装填されたレンズ付きフイルムユニットが各種販売されている。このようなレンズ付きフイルムユニットには、明るさに応じて撮影モードを選択することにより描写性を向上させたものも知られている（例えば本出願人により製造販売されている「Ｎｉｇｈｔ＆Ｄａｙ」（商品名））。
【０００３】
上記のレンズ付きフイルムユニットは、高感度の写真フイルムが装填されており、日中屋外等の明るい場所での撮影に対応する日中撮影モード（ストロボ発光せず）と日中シンクロ撮影モード（ストロボ発光あり）と、夜景等のように暗い被写体を撮影するような場合、あるいは夜景や暗い室内を背景にし、その背景を適当な濃度で再現しながら人物等の主要被写体をストロボ光で撮影する場合に対応する夜景シンクロ撮影モードの３つの撮影モードを備えている。
【０００４】
具体的には、フイルム感度がＩＳＯ１６００であり、日中撮影モード及び日中シンクロ撮影モードでは、シャッタ速度が１／１２０秒、絞り値がＦ１４に設定され、夜景シンクロ撮影モードでは、シャッタ速度が１／４５秒に、絞り値がＦ６．２に設定される。これによれば、ＩＳＯ１００を基準としたＥＶ値での適正露出は、日中撮影モード及び日中シンクロ撮影モードがＥＶ１０．８、夜景シンクロ撮影モードがＥＶ７．０となる。
【発明の開示】
【発明が解決しようとする課題】
【０００５】
ところで、上記のような高感度フイルムを用いることは、実用性を維持しながら夜景シンクロ撮影モードの対応可能な明るさを広げることになる。しかしながら、上記のように二段階に適正露出値を切り換えるようにした場合では、その高感度フイルムを用いることの利点を十分に活かすことができない。例えば、手ブレが発生しない程度にまでシャッタ速度を低速化し、可能な範囲で絞りを開くように、夜景シンクロ撮影モードを設定すると、かなりくらいシーンを撮影することができるが、この夜景シンクロ撮影モードと、日中屋外用に設定された日中撮影モード及び日中シンクロ撮影モードとの間に対応できない明るさ領域が生じてしまい、例えば薄暗い室内などでは、いずれの撮影モードを選んでも好ましい描写性が得られない。逆に、日中撮影モード，日中シンクロ撮影モードに、夜景シンクロ撮影モードの適正露出値を近づけると、実用性を維持して対応可能なはずのより暗いシーンでの撮影ができなくなってしまう。
【０００６】
本発明は上記問題を解消するためになされたもので、高感度フイルムを用いることの利点を活かし、より広い明るさの撮影シーンで撮影可能なレンズ付きフイルムユニットを提供することを目的とする。
【課題を解決するための手段】
【０００７】
請求項１記載のレンズ付きフイルムユニットでは、フイルム感度がＩＳＯ１６００以上の写真フイルムが装填されており、第１ないし第３撮影モードを選択するための撮影モード選択部材と、選択された撮影モードに応じて適正ＥＶ値が切り換えられる露出切替装置を備え、第１ないし第３撮影モードのＩＳＯ１００を基準とした適正ＥＶ値をＥＶ1，ＥＶ2，ＥＶ3としたときに、「９≦ＥＶ1≦１２，６．５≦ＥＶ2＜９，４≦ＥＶ3＜６．５」の条件を満たすものであり、請求項２記載のレンズ付きフイルムユニットでは、写真フイルムのフイルム感度をＩＳＯ３２００以上としたものである。
【０００８】
請求項３記載のレンズ付きフイルムユニットでは、露出切替装置を、撮影モード選択部材によって選択される選択モードに応じて、絞りを切り換える絞り切替機構及びシャッタ速度を切り換えるシャッタ速度切替機構とから構成したものである。請求項４記載のレンズ付きフイルムユニットでは、絞り切替機構が、絞りを小絞りと大絞りとに切り替え、第１撮影モードでは小絞り、第２撮影モード及び第３撮影モードでは大絞りとし、前記シャッタ速度切替機構が、シャッタ速度を高速と低速とに切り換え、前記第１撮影モード及び第２撮影モードでは高速，前記第３撮影モードでは低速とするように構成したものである。また、請求項５記載のレンズ付きフイルムユニットでは、絞り切替機構が、絞りを小絞りと中絞りと大絞りとに切り替え、第１撮影モードでは小絞り、第２撮影モードでは中絞り，第３撮影モードでは大絞りとし、シャッタ速度切替機構が、シャッタ速度を高速と低速とに切り換え、前記第１撮影モード及び第２撮影モードでは高速，前記第３撮影モードでは低速とするように構成したものである。
【０００９】
請求項６記載のレンズ付きフイルムユニットでは、シャッタ速度切替機構による低速のシャッタ速度をＴ1秒、高速のシャッタ速度をＴ2秒としたときに、「１／３０秒≧Ｔ1≧１／６０秒、１／１００秒≧Ｔ2」を満たすようにしたものである。また、請求項７記載のレンズ付きフイルムユニットでは、絞り切替機構による第１撮影モードの絞り値をＡ1，第３撮影モードの絞り値をＡ3としたときに、「Ｆ１３≦Ａ1，Ｆ２．８≦Ａ3≦Ｆ８」を満たすようにしたものである。
【００１０】
請求項８記載のレンズ付きフイルムユニットでは、第１撮影モード下ではストロボ発光を行わず、第２撮影モード及び第３撮影モード下での撮影に同期してストロボ発光を行うストロボ装置を備えたものであり、請求項９記載のレンズ付きフイルムユニットでは、第１撮影モード及び第２撮影モード下ではストロボ発光を行わず、第３撮影モード下での撮影に同期してストロボ発光を行うストロボ装置を備えたものである。さらに、請求項１０記載のレンズ付きフイルムユニットでは、第１撮影モード及び第３撮影モード下ではストロボ発光を行わず、第２撮影モード下での撮影に同期してストロボ発光を行うストロボ装置を備えたものである。
【００１１】
請求項１１記載のレンズ付きフイルムユニットでは、ストロボ装置を、ガイドナンバーが４（ISO100・m）以下としたものである。請求項１２記載のレンズ付きフイルムユニットでは、ストロボ装置の電源の電池の外形サイズを単４型電池の外形サイズ以下としたものであり、請求項１３記載のレンズ付きフイルムユニットでは、電源の電池を単５型としたものである。
【００１２】
請求項１４記載のレンズ付きフイルムユニットでは、ストロボ発光に先立って充電され、その充電で蓄積した電荷をストロボ放電管で放電することによってストロボ発光させるメインコンデンサの静電容量を４０μＦ以下としたものである。
【発明の効果】
【００１３】
本発明によれば、フイルム感度がＩＳＯ１６００以上の写真フイルムが装填されたレンズ付きフイルムユニットにおいて、第１ないし第３撮影モードを選択するようにし、第１ないし第３撮影モードのＩＳＯ１００を基準とした適正ＥＶ値をＥＶ1，ＥＶ2，ＥＶ3としたときに、「９≦ＥＶ1≦１２，６．５≦ＥＶ2＜９，４≦ＥＶ3＜６．５」の条件を満たすようにしたから、高感度の写真フイルムの特性を活かして夜景のような暗さから日中屋外の明るさまで広範囲な明るさの下で撮影を行うことができる。、
【発明を実施するための最良の形態】
【００１４】
本発明を実施したレンズ付きフイルムユニットの外観を図１に示す。レンズ付きフイルムユニット２は、各種撮影機構が組み込まれたユニット本体３と、このユニット本体３の製造時に装填されたフイルムパトローネと、ユニット本体３の外周に巻き付けられるように貼付されたラベル４とからなる。ラベル４には、ユニット本体３の各部を露呈させるための開口が設けられている。
【００１５】
ユニット本体３の前面には、撮影レンズ５，ファインダ６，ストロボ発光部７，撮影モード選択部８等が設けられている。ユニット本体３の上面には、シャッタボタン９，カウンタ表示窓１０，シグナル用開口１１等が設けられている。ユニット本体３の背面からは、撮影後のフイルム巻き上げに用いられる巻上げノブ１２の一部が露呈されている。
【００１６】
撮影モード選択部８は、ユニット本体３の前面に形成された操作開口１４と、この操作開口１４内で移動自在とされた略小判形状の操作部材１５とからなる。撮影モード選択部材としての操作部材１５は、図１に示されるように操作開口１４内の下方に位置する第１操作位置と、図２に示すように、第１操作位置から上方に向けてスライドされた第２操作位置と、図３に示すように、第２操作位置から図中時計方向に回動される第３操作位置との間で移動される。
【００１７】
レンズ付きフイルムユニット２は、操作部材１５が第１操作位置にある際に、ストロボＯＦＦ，小絞り及び高速シャッタの通常撮影モード（第１撮影モード）となる。また、図２に示されるように、操作部材１５が第２操作位置にある際には、ストロボＯＮ，中絞り及び高速シャッタの室内撮影モード（第２撮影モード）となる。この室内撮影モードでは、レンズ付きフイルムユニット２の上面からシグナル部材１７が突出される。このシグナル部材１７はライトガイドであり、ストロボ充電の完了時に発光する発光素子の光をユニット本体３外にガイドして、撮影準備が完了したことを知らせる。
【００１８】
図３に示されるように、操作部材１５が第３操作位置にある際には、ストロボＯＮ，大絞り及び低速シャッタの夜景撮影モードとなる。この夜景撮影モードでは、ストロボ発光部７の前方に板状の減光部材１９が下方から挿入され、ストロボ光量の減光が図られる。また、ファインダ６の前方には、円板状の指標板２０が突出される。この指標板２０は、ファインダ６内で視認されることにより、レンズ付きフイルムユニット２が夜景撮影モードにあることを撮影者に知らせる。
【００１９】
図４は、ユニット本体３の構成を示す分解斜視図である。ユニット本体３は、１３５タイプのフイルムパトローネ２２が装填される本体基部２３と、この本体基部２３の前面側に取り付けられるストロボ装置２４と、操作部材１５に連動して撮影モードの切り替えを行う連動機構２５と、本体基部２３の前面側及び背面側に取り付けられる前カバー２６及び後カバー２７とからなる。
【００２０】
フイルムパトローネ２２は、写真フイルム２２ａとパトローネ２２ｂとからなる。写真フイルム２２ａとしては、ＩＳＯ１６００以上の高感度のものが好ましく、ＩＳＯ３２００以上のものより好ましい。この例では、写真フイルム２２ａは、フイルム感度がＩＳＯ３２００となっている。
【００２１】
ストロボ装置２４は、メインコンデンサ２８を含む各種電気部品が取り付けられてストロボ回路が形成されたプリント基板２９と、ストロボ放電管やリフレクタ，拡散板等からなるストロボ発光部７とから構成されている。また、プリント基板２９には、シャッタ羽根の開閉動作に同期してオンするシンクロスイッチ３０、撮影モード選択部８の操作部材１５の移動によってオン・オフされる充電スイッチを構成する金属接片３１、ストロボ装置２４の電源となる電池３２をストロボ回路に接続する電池接片３３等が取り付けられている。
【００２２】
ストロボ回路は、充電スイッチのオンによってメインコンデンサ２８を高電圧で充電し、この充電でメインコンデンサ２８に蓄積された電荷をシンクロスイッチ３０のオンによってストロボ放電管を介して放電する。この放電により、ストロボ発光が行われる。なお、充電スイッチがオフのときには、シンクロスイッチ３０がオンとなっても、メインコンデンサ２８が放電しないのでストロボ発光は行われない。
【００２３】
このストロボ装置２４は、写真フイルム２２ａとして高感度タイプのものを用いることに対応して、ストロボ光量が小さくなっており、ガイドナンバーで４（ＩＳＯ１００・ｍ）以下となっている。この例ではガイドナンバーが２．８（ＩＳＯ１００・ｍ）であり、ストロボ発光部７の前方に減光部材１９が挿入されているときにはガイドナンバーが２．０（ＩＳＯ１００・ｍ）となっている。
【００２４】
メインコンデンサ２８の静電容量を従来のものに比べて小さくすることにより、ストロボ光量を小さくし、同時に小型化に有利にしている。また、ストロボ光量を小さくしたことにともない消費電力が低くなるので、電池３２として、これまでよりも小型な乾電池を用い、これまでと同等な電池寿命を維持しながら小型化に有利にしている。メインコンデンサ２８は、その静電容を４０μＦ以下とするのが好ましく、電池３２としては外形が単４型の乾電池と同じあるいはそれよりも小さいものが好ましく、例えば単５型とするのがよい。
【００２５】
本体基部２３の前面中央には、遮光筒３５が設けられている。この遮光筒３５の周囲には、シャッタチャージ機構，シャッタ機構，フイルム巻上げ機構，フイルム巻止機構，フイルムカウント機構，撮影光学系，ファインダ光学系，露出切替装置を構成する絞り切替機構及びシャッタ速度切替機構等が組み込まれている。
【００２６】
図５は、遮光筒３５の周囲に組み込まれたシャッタ機構，絞り切替機構，シャッタ速度切替機構，撮影光学系の構成を示す分解斜視図である。遮光筒３５の前面には、矩形状の露光開口３６が形成され、側方には、シャッタ羽根３７を揺動自在に支持するピン３８と、バネ３９の一端が掛けられるピン４０とが設けられている。
【００２７】
シャッタ機構を構成するシャッタ羽根３７は、ピン３８に挿通される穴４２ａが形成されたベース部４２と、露光開口３６の前方に配置されて該露光開口３６の開閉を行う羽根部４３と、これらベース部４２と羽根部４３と間の連結部４４とからなる。ベース部４２には、バネ３９の他端が掛けられるピン４２ｂと、シャッタ駆動レバー４５によって蹴飛ばされる突出部４２ｃと、シンクロ突起４２ｄとが設けられている。シャッタ羽根３７は、バネ３９の付勢力で露光開口３６を塞ぐ閉じ位置に保持される。
【００２８】
シャッタ駆動レバー４５は、シャッタ機構を構成する部品の一つであり、シャッタチャージ機構によって図中矢線Ａと逆方向に回動し、チャージ位置にセットされる。そして、レリーズボタン９の押圧操作に応答して、チャージ解除位置に向けて矢線Ａ方向に回動し、その際にシャッタ羽根３７の突出部４２ｃを蹴飛ばす。シャッタ駆動レバー４５に蹴飛ばされたシャッタ羽根３７は、バネ３９の付勢に抗して図中矢線Ｂ方向に回動し、露光開口３６を全開した後に、バネ４０の付勢によって閉じ位置に復帰する。シャッタ羽根３７は、露光開口３６を全開させる全開位置を経て、レンズホルダ５３の内面に設けられたストッパーピン５３ａ（図８，図９参照）に当接する移動端位置に達するまで回動可能になっている。
【００２９】
また、シャッタ羽根３７は、移動端位置への回動時に、シンクロ突起４２ｄでシンクロスイッチ３０の上部金属接片３０ａを押圧し、下部金属接片３０ｂに接触させる。この一対の金属接片３０ａ，３０ｂが接触して、シンクロスイッチ３０がオンとなる。
【００３０】
レンズホルダ５３上部には、ストップレバー４６を回動自在に支持するピン４７が形成されている。ストップレバー４６は、ピン４７に支持されるボス４８と、このボス４８の側面から突出された２本のアーム４９，５０とからなり、一方のアーム４９の先端にパッド４９ａが設けられている。
【００３１】
このストップレバー４６は、図６に示すように、パッド４９ａがシンクロスイッチ３０の下部金属接片３０ｂの自由端側の下方に挿入されて当接する高速シャッタ位置と、図７に示すように、パッド４９ａを下部金属接片３０ｂの下方から退避させた低速シャッタ位置との間で回動される。
【００３２】
図８に示すように、ストップレバー４６が高速シャッタ位置にあるときに、シャッタレリーズが行われると、シャッタ羽根３７のシンクロ突起４２ｄに押圧されたシンクロスイッチ３０の上部金属接片３０ａが下部金属接片３０ｂに接触し、ストロボ発光が行われる。このときに下部金属接片３０ｂはパッド４９ａに当接するため、シャッタ羽根３７は移動端位置への途中、すなわち全開位置で回動が阻止される。これにより、短時間でシャッタ羽根３７が閉じ位置に復帰する。これにより、１／１００秒の高速なシャッタ速度を得ることができる。
【００３３】
図９に示すように、ストップレバー４６が低速シャッタ位置にあるときには、シャッタ羽根３７の回動が大きくなり、移動端位置まで回動する。これは、金属接片３０ｂの弾性変形が自由になるためである。その結果、シャッタ羽根３７が閉じ位置に復帰するまでの時間が長くなって、シャッタ速度が遅くなる。これにより、１／４５秒の低速なシャッタ速度を得ることができる。
【００３４】
図５に示されるように、遮光筒３５の前方には、レンズホルダ５３が取り付けられる。レンズホルダ５３の前面中央には、筒形状の鏡筒５４が形成されている。鏡筒５４内には、開口５５が形成されており、鏡筒５４の側面には切欠５６が形成されている。また、鏡筒５４内には、撮影レンズ５を構成する第１レンズ５ａと第２レンズ５ｂとが収納される。これら第１レンズ５ａと第２レンズ５ｂとの間には、絞り切替機構を構成する大絞り板６０と、第１絞り切替板６１と、第２絞り切替板６２と、これら絞り切替板６１，６２の挿入スペースを確保するスペーサ６４とが収められる。大絞り板６０は、円形の薄板からなり、中央に大径の大絞り開口６０ａが形成されている。なお、スペーサ６４の開口は大絞り開口６０ａよりも径が大きくなっている。
【００３５】
レンズホルダ５３の前面には、鏡筒５４に収められた撮影レンズ５等の部品と、鏡筒５４の外周に取り付けられた切替リング６５とが外れないように押さえるレンズ押さえ板６６６が取り付けられる。
【００３６】
第１絞り切替板６１は、一端に大絞り開口６０ａを塞ぐ大きさの中絞り部６１ａが設けられ、この中絞り部６１ａに大絞り開口６０ａよりも小径の小絞り開口６１ｂが形成されている。また、第１絞り切替板６１は、その他端に穴６１ｃと屈曲された長穴６１ｄとが設けられ、穴６１ｃは、レンズホルダ５３の鏡筒５４の近傍に形成されたピン６７に挿通され揺動自在となっている。第１絞り切替板６１は、中絞り開口６１ｂを撮影光軸上に配置する挿入位置と、中絞り部６１ａを切欠５６から鏡筒５４の外に退避させ、大絞り開口６０ａを露呈させる退避位置との間で回動する。
【００３７】
第２絞り切替板６２は、一端に中絞り部６１ａとほぼ同じ大きさの小絞り部６２ａが設けられ、その中央に中絞り開口６１ｂよりも小径の小絞り開口６２ｂが形成されている。また、第２絞り切替板６２の他端には、係合ピン６２ｃが設けてある。この第２絞り切替板６２は、それに設けた穴６４ｄにレンズホルダ５３に形成されたピン６８に挿通され、揺動自在となっている。
【００３８】
第２絞り切替板６２は、第１絞り切替板６１と同様に、小絞り開口６２ｂを撮影光軸上に配置する挿入位置と、小絞り部６２ａを切欠５６から鏡筒５４の外に退避し、レンズホルダ５３に形成されたピン６９に当接した退避位置との間で回動する。バネ７０は、一端が第２絞り切替板６２に、他端がレンズホルダ５３に形成されたピン７１に掛けられており、第２絞り切替板６２を退避位置の方向に付勢する。
【００３９】
鏡筒５４の外周には、切替リング６５が回動自在に嵌入される。切替リング６５には、バネ７３の一端が掛けられるバネ掛けピン６５ａと、第１絞り切替板６１の長穴６１ｄに挿入されるリンクピン６５ｂと、ストップレバー４６の他方のアーム５０が間に挟み込まれる一対の挟持ピン６５ｃと、背面側に突出された従動ピン６５ｄとが設けられている。
【００４０】
バネ７３の他端は、レンズホルダ５３の前面下部に形成されたピン７４に掛けられ、切替リング６５を図中矢線Ｃに付勢する。なお、バネ７３によって付勢された切替リング６５は、第１絞り切替板６１によって所定の位置に保持される。
【００４１】
操作部材１５には、略小判形状の切替板７６が一体に形成されており、この切替板７６には水平方向に突出された押圧レバー７７が一体に形成されている。操作部材１５が第１操作位置と第２操作位置との間でスライド移動する際の押圧レバー７７の移動軌跡内に第２絞り切替板６２の係合ピン６２ｃを配してある。また、操作部材１５が第２操作位置と第３操作位置との間で回動する際の押圧レバー７７の回動軌跡内に切替リング６５の従動ピン６５ｄを配してある。
【００４２】
図１０に通常撮影モードの状態を示す。操作部材１５が第１操作位置にある際には、押圧レバー７７は切替リング６５の従動ピン６５ｄに接触しない。そのため、切替リング６５は、第１絞り切替板６１によって初期位置に保持されている。
【００４３】
切替リング６５が初期位置にある際には、一対の挟持ピン６５ｃは、ストップレバー４６を高速シャッタ位置に保持している。また、リンクピン６５ｂによって第１絞り切替板６１は、中絞り部６１ａが鏡筒５７内に挿入された挿入位置となる。さらに、バネ７１で付勢された第２絞り切替板６２は、係合ピン６２ｃが押圧レバー７７の下部に係合することで、小絞り部６２ｂが鏡筒５４内に挿入された挿入位置となる。これにより、小絞り開口６２ｃで光量が制限される小絞り状態となる。
【００４４】
図１１に室内撮影モードの状態を示す。操作部材１５が第２操作位置にある際には、第１操作位置の場合と同様に、押圧レバー７７が従動ピン６５ｄに接触しないため、切替リング６５は、第１絞り切替板６１によって初期位置に保持されている。このため、ストップレバー４６は、高速シャッタ位置とされ、第１絞り切替板６１は、挿入位置となる。一方、第２絞り切替板６２は、押圧レバー７７の移動にともない、バネ７１の付勢によりピン６９に当接した退避位置に回動する。これにより、小絞り部６２ｂが鏡筒５４内から退避し、中絞り開口６１ｃで光量が制限される絞り状態となる。
【００４５】
図１２に夜景撮影モードの状態を示すように、操作部材１５が第２操作位置から第３操作位置へと回動されると、押圧レバー７７が従動ピン６５ｄを下方から押圧して切替リング６５を図中反時計方向に回動させる。この切替リング６５の回動により、リンクピン６５ｂに押圧された絞り第１絞り切替板６１が図中時計方向に回動し、中絞り部６１ａが光軸上から退避して絞り板６０の絞り開口６０ａで光量が制限される大絞り状態となる。また、一対の挟持ピン６５ｃはストップレバー４６を回動させ、低速シャッタ位置にセットする。
【００４６】
なお、シグナル部材１７，減光部材１９，指標板２０，充電スイッチを構成する金属接片３１は、連動機構２５によって操作部材１５に連動される。操作部材１５第１操作位置と第2操作位置との間でのスライドにより、シグナル部材１７が上下されるとともに、充電スイッチのオン・オフが行われる。また、操作部材１５の第２操作位置と第３操作位置との間の回動により、ファインダ６，ストロボ発光部７の前方での指標板２０，減光部材１９の挿脱が行われる。
【００４７】
上記のように、このレンズ付きフイルムユニット２は、写真フイルム２２ｂとしてフイルム感度がＩＳＯ３２００のものが用いられ、通常撮影モードではシャッタ速度が１／１００秒，絞り値がＦ１６、ストロボ非発光となっている。また、室内撮影モードでは、シャッタ速度が１／１００秒，絞り値がＦ５．６であり、ＧＮ２．８（ISO100・m）でのストロボ発光となっている。さらに、夜景撮影モードでは、シャッタ速度が１／４５秒，絞り値がＦ４．０であり、ＧＮ２．０（ISO100・m）でのストロボ発光となっている。
【００４８】
通常撮影モードでは、ＩＳＯ１００を基準としたＥＶ値で、適正ＥＶ値がＥＶ９．６となっている。同様に、室内撮影モードでは、適正ＥＶ値がＥＶ６．６であり、夜景撮影モードでは、適正ＥＶ値がＥＶ４．５である。これにより、写真フイルム２２ｂのラチチュードを考慮して、夜景のような暗いシーンから日中屋外の通常のシーンまで、広範囲の明るさで撮影を行うことができる。なお、ＩＳＯ１００を基準とした適正露出値は、その適正露出値をEV、絞り値をF、シャッタ速度をT（秒）、フイルム感度をSとしたときに、「ＥＶ＝log2（Ｆ2／Ｔ）−log2（Ｓ／１００)」で表すことができる。
【００４９】
通常撮影モード（第１撮影モード）の適正ＥＶ値をＥＶ1，室内撮影モード（第２撮影モード）の適正ＥＶ値をＥＶ2，夜景撮影モード（第３撮影モード）の適正ＥＶ値をＥＶ3としたときに、「９≦ＥＶ1≦１２，６．５≦ＥＶ2＜９，４≦ＥＶ3＜６．５」を満たせば、各撮影モードにおける絞り値及びシャッタ速度の組み合せは上記のものに限らないが、手ブレや被写界深度等を考慮すると、前述のようにフイルム感度をＩＳＯ１６００以上とし、より好ましくはＩＳＯ３２００以上の写真フイルムを用い、高速なシャッタ速度は１／１００秒と同じかそれよりも高速とし、低速シャッタ速度は１／３０秒〜１／６０秒の範囲とし、小絞りをＦ１３以上，大絞りをＦ２．８〜Ｆ８の範囲とするのが好ましい。
【００５０】
ＩＳＯ３２００の下で、室内撮影モードでは絞り値がＦ５．６、ガイドナンバーが２．８（ＩＳＯ１００・ｍ）であり、夜景撮影モードでは絞り値がＦ４．０、ガイドナンバーが２．０（ＩＳＯ１００・ｍ）である。いずれの撮影モードの場合にも撮影距離が約２．８ｍの被写体を適正な露光量でストロボ撮影することができ、写真フイルムのラチチュードを考慮して１．５ＥＶ程度の露光アンダーを許容すると被写体距離が約５ｍまでの被写体についても満足できるレベルでのストロボ撮影をすることができる。
【００５１】
次に、上記実施形態の作用について説明する。晴天の屋外などのように明るい場所で撮影を行う場合には、図１に示されるように、操作部材１５を開口１４の下方にスライドして第１操作位置として通常撮影モードを選択する。
【００５２】
操作部材１５が第１操作位置では、図１０に示されるように、切替リング６５がバネ７３に付勢されて初期位置にあり、第１絞り切替板６１が挿入位置にセットされる。また、第２絞り切替板６２は、係合ピン６２ｃが押圧レバー７７に係合しているため、挿入位置にセットされる。さらに、図６に示されるように、ストップレバー４６が高速シャッタ位置にセットされる。
【００５３】
さらに、通常撮影モードでは、ストロボ装置２４の充電スイッチの金属接片３１は押圧されておらず、シグナル部材１７はユニット本体３の上面から突出されず、減光部材１９と指標板２０はレンズ付きフイルムユニット２の前面に露呈されない。
【００５４】
この通常撮影モードでシャッタボタン９を押圧して撮影を行うと、シャッタ羽根３７が閉じ位置から回動を開始するが、ストップレバー４６がシンクロスイッチ３０を介してその回動を途中で阻止する。このため、シャッタ羽根３７は、図８に示されるように、全開位置まで回動してから閉じ位置に戻るので、シャッタ速度が速くなる。また、第２絞り切替板６２が挿入位置なっているので、撮影レンズ５に入射した撮影光は、絞り開口６２ａで制限される。さらに、充電スイッチがオフとなっているので、シンクロスイッチ３０がオンとなってもストロボ発光は行われない。このようにして、シャッタ速度が１／１００秒、絞りがＦ１６、ストロボ非発光での撮影が行われる。
【００５５】
室内等の薄暗い場所で撮影を行う場合や、そのような室内で背景を適当な濃度で再現しながら人物等の撮影を行う場合には、図２に示されるように、操作部材１５を開口１４の上方にスライドして第２操作位置として室内撮影モードを選択する。
【００５６】
操作部材１５を第２操作位置とすると、充電スイッチがオンとされるとともに、シグナル部材１７がユニット本体３の上部に突出されるが、切替リング６５は初期位置に、第１絞り切替板６１が挿入位置になっている。一方、第２絞り切替板６２は、係合ピン６２ｃが係合した押圧レバー７７が上方に移動することによって、バネ７１の付勢で退避位置に回動する。このため、第１絞り切替板６１の絞り開口６１ｂによって撮影レンズ５に入射した撮影光が制限される。したがって、この室内撮影モードで撮影を行うと、シャッタ速度が１／１００秒、絞りがＦ５．６、ガイドナンバー２．８の光量でのストロボ発光での撮影が行われる。
【００５７】
夜景等の暗い被写体を撮影するような場合、あるいは夜景を背景にし、その背景を適当な濃度で再現しながら人物等の主要被写体を撮影する場合には、図３に示されるように、操作部材１５を第２操作位置から第３撮影位置に回動し、夜景撮影モードを選択する。
【００５８】
操作部材１５が第３操作位置に回動されると、押圧レバー７７が従動ピン６５ａを下方から押圧する。このため、バネ７３の付勢に抗して切替リング６５が初期位置から回動する。この切替リング６５の回動により、第１絞り切替板６１が退避位置に回動する。また、ストップレバー４６が、図７に示すように、低速シャッタ位置にセットされる。
【００５９】
さらに、操作部材１５が第２操作位置から第３操作位置への回動に連動して、減光部材１９がストロボ発光部７の前方に配されるとともに、指標板２０がファインダ６の前方に配される。なお、充電スイッチはオンを維持し、シグナル部材１７は、ユニット本体３の上部から突出した状態を維持する。
【００６０】
この夜景撮影モードで撮影を行うと、１／４５秒の低速のシャッタ速度でのシャッタ開閉動作が行われ、これに同期してストロボ発光が行われる。また、このようにシャッタ羽根２２の開閉動作が行われている間に、撮影レンズ５に入射した被写体からの光は、大絞り開口６０ａを通して写真フイルムに露光を与えるため、大絞り開口６２ａ、すなわち絞り値Ｆ４．０で光量が制限されることになる。ストロボ光は、減光部材１９によって減光されて照射され、結果的にガイドナンバー２．０のストロボ光量が被写体に向けて照射される。
【００６１】
上記のように、各撮影モードを選択することで、晴天時の屋外のような明るい場所、室内のような薄暗い場所、夜間屋外のようなくらい場所など、広範囲の明るさの下で撮影を良好に行うことができる。すなわち、写真フイルム２２ａの高感度を活かした暗いシーンから晴天時の屋外のような明るいシーンまで良好に撮影を行うことができる。
【００６２】
次に、本発明を実施した他の例について説明する。なお、この実施形態では、以下に説明するように２種類の絞り値を用いている点、高速シャッタ速度をより高速なものとしている点で異なる他は、、上記実施形態と同じであり、同じ構成部材には同一の符号を付してその説明を省略する。
【００６３】
通常撮影モードの状態を図１３に、室内撮影モードの状態を図１４に、夜景撮影モードの状態を図１５にそれぞれ示す。撮影光軸上には、大絞り開口８１ａを形成した大絞り板８１を配しており、その大絞り開口８１ａは、絞り値がＦ６．２の大きさになっている。絞り切替板８２は、一端に大絞り開口８１ａを塞ぐ大きさで小絞り部８２ａが設けられ、その小絞り部８２ａの中央に小絞り開口８２ｂを形成してある。小絞り開口８２ｂは、絞り値がＦ１４．０の大きさになっている。
【００６４】
絞り切替板８２は、図１３，図１４に示されるように、操作部材１５の移動にともなって、小絞り開口８２ｂを撮影光軸上に配置する挿入位置と、小絞り部８２ａを鏡筒５４の外に退避させ、大絞り開口８１ａを露呈させる退避位置との間で回動する。絞り切替板８２は、操作部材１５が第１操作位置のときに挿入位置となり、第２操作位置のときに退避位置となる。この絞り切替板８２を回動する機構は、上記実施形態の第２絞り切替板６２を回動する機構と同じである。
【００６５】
ストップレバー４６が高速シャッタ位置のときに１／１２０秒（高速シャッタ速度）、低速シャッタ位置のときに１／４５秒（低速シャッタ速度）となるように、シャッタ羽根３７を付勢するバネ３９の強さや、シャッタ羽根の回転角度を規制するストッパ５３ａの位置等が調整してある。
【００６６】
また、上記実施形態と同じく、通常撮影モードではストロボ発光は行われず、室内撮影モード及び夜景撮影モードでストロボ発光するようにされているが、室内撮影モード及び夜景撮影モードでは同じ大絞り（絞り値Ｆ６．２）を用いることに対応して、同じストロボ発光量としてある。この例では、ガイドナンバーを３．０としてあり、夜景撮影モードの選択時にも減光部材１９がストロボ発光部７の前面に配されることはない。この場合にも、撮影距離が約２．８ｍの被写体を適正な露光量でストロボ撮影することができ、約５ｍまでの被写体についても満足できるレベルでのストロボ撮影をすることができる。
【００６７】
上記のように構成されたレンズ付きフイルムユニットは、フイルム感度がＩＳＯ３２００であり、通常撮影モードではシャッタ速度が１／１２０秒，絞り値がＦ１４．０、ストロボ非発光となっている。また、室内撮影モードでは、シャッタ速度が１／１２０秒，絞り値がＦ６．２であり、ＧＮ３．０（ISO100・m）でのストロボ発光となっている。さらに、夜景撮影モードでは、シャッタ速度が１／４５秒，絞り値がＦ６．２であり、ＧＮ３．０（ISO100・m）でのストロボ発光となっている。
【００６８】
通常撮影モードでは、ＩＳＯ１００を基準としたＥＶ値で、適正ＥＶ値がＥＶ９．５となっている。同様に、室内撮影モードでは、適正ＥＶ値がＥＶ７．２であり、夜景撮影モードでは、適正ＥＶ値がＥＶ５．８である。これにより、写真フイルム２２ｂのラチチュードを考慮して、夜景のような暗いシーンから日中屋外の通常のシーンまで、広範囲の明るさで撮影を行うことができる。
【００６９】
なお、上記各実施形態では、室内撮影モード及び夜景撮影モード時にストロボ発光を行っているが、通常撮影モード及び室内撮影モードをストロボ非発光とし、夜景撮影モード時にストロボ発光としてもよく、通常撮影モード及び夜景撮影モードをストロボ非発光とし、室内撮影モード時にストロボ発光としてもよい。
【図面の簡単な説明】
【００７０】
【図１】本発明を用いたレンズ付きフイルムユニットの通常撮影モードでの外観を示す斜視図である。
【図２】レンズ付きフイルムユニットの室内撮影モードでの外観を示す斜視図である。
【図３】レンズ付きフイルムユニットの夜間撮影モードでの外観を示す斜視図である。
【図４】レンズ付きフイルムユニットの構成を示す分解斜視図である。
【図５】絞り及びシャッタ速度切替機構の構成を示す分解斜視図である。
【図６】ストッパーレバーの高速シャッタ位置を示す説明図である。
【図７】ストッパーレバーの低速シャッタ位置を示す説明図である。
【図８】高速シャッタ状態でのシャッタレリーズを示す説明図である。
【図９】低速シャッタ状態でのシャッタレリーズを示す説明図である。
【図１０】通常撮影モードでの絞り及びシャッタ速度切替機構の状態を示す説明図である。
【図１１】室内撮影モードでの絞り及びシャッタ速度切替機構の状態を示す説明図である。
【図１２】夜景撮影モードでの絞り及びシャッタ速度切替機構の状態を示す説明図である。
【図１３】絞りを2種類とした例における通常撮影モードでの絞り及びシャッタ速度切替機構の状態を示す説明図である。
【図１４】絞りを2種類とした例における室内撮影モードでの絞り及びシャッタ速度切替機構の状態を示す説明図である。
【図１５】絞りを2種類とした例における夜間撮影モードでの絞り及びシャッタ速度切替機構の状態を示す説明図である。
【符号の説明】
【００７１】
２  レンズ付きフイルムユニット
３  ユニット本体
７  ストロボ発光部
８  撮影モード選択部
１５  操作部材
３７  シャッタ羽根
４６  ストップレバー
６０  大絞り板
６１  第１絞り切替板
６２  第２絞り切替板
６５  切替リング
【図１】
2006071943.tif 000003
【図２】
2006071943.tif 000004
【図３】
2006071943.tif 000005
【図４】
2006071943.tif 000006
【図５】
2006071943.tif 000007
【図６】
2006071943.tif 000008
【図７】
2006071943.tif 000009
【図８】
2006071943.tif 000010
【図９】
2006071943.tif 000011
【図１０】
2006071943.tif 000012
【図１１】
2006071943.tif 000013
【図１２】
2006071943.tif 000014
【図１３】
2006071943.tif 000015
【図１４】
2006071943.tif 000016
【図１５】
2006071943.tif 000017